【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】  シートベルトリトラクタのウェビングリールから軸方向に延びるウェビングリールシャフトと協働し、起動時にリールに巻回されたシートベルト用ウェビングに予張力を加える、プリテンショナであって、
長手方向に延びる長方形の第１通路をその内部に収容するハウジングであって、前記通路が第１の端部と第２の端部を有し、前記ハウジングがウェビングリールシャフトの第１端部をさらに収容する、前記ハウジングと、
プリテンショナ起動前には、前記リトラクタシャフトの前記第１端部の半径方向外側に間隔をあけて配置、かつ取り付けられ、各セグメントが他方のセグメントと円周上で対向する、第１のクラッチセングメントと第２のクラッチセングメントであって、プリテンショナ起動前には、前記シャフトが前記セグメントと無関係に回転し、プリテンショナ起動時に前記セグメントが前記シャフトを把持する、前記第１クラッチセグメントと前記第２クラッチセグメントと、
セグメントの半径方向外側に取り付けられたギア付きクラッチスリーブであって、前記スリーブは、前記第１および第２セグメントの外周面と同一面で連続する内表面を有し、プリテンショナ起動時に、前記クラッチスリーブがセグメントに圧縮方向および回転方向のトルクを加える、前記ギア付きクラッチスリーブと、
前記クラッチスリーブとギアで係合するギア付きプーリーであって、プリテンショナ起動時に、前記クラッチスリーブに、回転トルクを加える、前記ギア付きプーリーと、
前記ハウジングに固定された第１の端部と、前記第１端部から前記第１通路を横断して延びる中間部分と、前記中間部分から延びて、前記プーリーに固定かつ巻回されている第２端部とを有するストラップであって、プリテンショナの起動時に、前記プーリーに回転トルクを加える、前記ストラップと、
前記通路の第１端部内に配置されており、プリテンショナ起動時に、前記ストラップに予張力を加えることによってプーリーにトルクを加えるための、アクチュエータと、
点火可能であって、プリテンショナを起動し、アクチュエータを前記第２通路中に放出するのに十分な力を発生する、ガス発生混合物と、
前記ハウジング内に収容され、前記ガス発生混合物を点火させるために、前記ガス発生混合物と点火可能に接続する、イニシエータとを備え、
前記ガス発生剤の点火時、およびアクチュエータの直線移動時に、ストラップに張力が加わり、この結果、プーリー、クラッチスリーブ、セグメント、ウェビングリールシャフト、ウェビングリールが回転前進することによって、リールが巻かれ、リール上のシートベルトウェビングに予張力を加える、前記プリテンショナ。
【請求項２】  前記アクチュエータが、点火時にアクチュエータを推進する、ガス発生混合物を格納する、請求項１に記載のプリテンショナ。
【請求項３】  ガス発生混合物を収容するためのガス発生器をさらに備え、プリテンショナ起動時に、前記ガス発生器が、前記アクチュエータに流体的に作動する、請求項１に記載のプリテンショナ。
【請求項４】  前記アクチュエータが、第１の構成要素と、前記第1要素と結合された第２の構成要素とを備え、第２構成要素が、アクチュエータの先端部を形成すると共に、第１の平坦側部と第２の平坦側部を有し、側部が丸みをつけた端部と連続し、丸形端部が、プリテンショナ起動中に、ストラップと同一面で連続するように向けられている、請求項１に記載のプリテンショナ。
【請求項５】  シートベルトリトラクタのウェビングリールから軸方向に延びるウェビングリールシャフトと協働し、起動時にリールに巻回されたシートベルト用ウェビングに予張力を加える、プリテンショナであって、
長手方向に延びる長方形の第１通路をその内部に収容するハウジングであって、前記通路が第１の端部と第２の端部を有し、前記ハウジングがウェビングリールシャフトの第１端部をさらに収容する、前記ハウジングと、
プリテンショナ起動前には、前記リトラクタシャフトの前記第１端の半径方向外側に間隔をあけて配置、かつ取り付けられ、各セグメントが他方のセグメントと円周上で対向する、第１のクラッチセングメントと第２のクラッチセングメントであって、プリテンショナ起動前には、前記シャフトが前記セグメントと無関係に回転し、プリテンショナ起動時に前記セグメントが前記シャフトを把持する、前記第１クラッチセグメントと前記第２クラッチセグメントと、
セグメントの半径方向外側に取り付けられたギア付きクラッチスリーブであって、前記スリーブは、前記第１および第２セグメントの外周面と同一面で連続する内表面を有し、プリテンショナ起動時に、前記クラッチスリーブがセグメントに圧縮方向および回転方向のトルクを加える、前記ギア付きクラッチスリーブと、
前記クラッチスリーブとギアで係合するギア付きプーリーであって、プリテンショナ起動時に、前記クラッチスリーブに回転トルクを加える、前記ギア付きプーリーと、
前記ハウジングに固定された第１の端部と、前記第１端部から前記第１通路を横断して延びる中間部分と、前記中間部分から延びて、前記プーリーに固定かつ巻回されている第２端部とを有するストラップであって、プリテンショナの起動時に、回転トルクを前記プーリーに加える、前記ストラップと、
前記通路の第１端部内に配置されており、プリテンショナ起動時に、前記ストラップに張力を加えることによってプーリーにトルクを加えるための、アクチュエータと、
プリテンショナを起動させ、アクチュエータを通路に放出することによって、ストラップに張力を加える手段とを備え、
プリテンショナの起動時に、ストラップがアクチュエータの直線運動を、プーリー、クラッチスリーブ、クラッチセグメント、およびクラッチスリーブと同心で連動するスプールの回転運動に変換することによって、シートベルトに予張力を加える、前記プリテンショナ。
【請求項６】  シートベルトリトラクタのウェビングリールから軸方向に延びるウェビングリールシャフトと協働し、起動時にリールに巻回されたシートベルト用ウェビングに予張力を加える、プリテンショナであって、
長手方向に延びる長方形の第１通路をその内部に収容するハウジングであって、前記通路が第１の端部と第２の端部を有し、前記ハウジングがウェビングリールシャフトの第１端部をさらに収容する、前記ハウジングと、
前記シャフトの第１端部から半径方向外側に間隔をあけて配置された、プリテンショナ起動時にシャフトを把持するための、ギア付きクラッチと、
前記クラッチスリーブとギアで係合するギア付きプーリーであって、プリテンショナ起動時に、前記クラッチスリーブに回転トルクを加える、前記ギア付きプーリーと、
前記ハウジングに固定された第１の端部と、前記第１端部から前記第１通路を横断して延びる中間部分と、前記中間部分から延びて、前記プーリーに固定かつ巻回されている第２端部とを有するストラップであって、プリテンショナの起動時に、回転トルクを前記プーリーに加える、前記ストラップと、
前記通路の第１端部内に配置されており、プリテンショナ起動時に、前記ストラップに張力を加えることによってプーリーにトルクを加えるための、アクチュエータと、
プリテンショナを起動させ、アクチュエータを通路に放出することによって、ストラップに張力を加える手段とを備え、
プリテンショナの起動時に、ストラップがアクチュエータの直線運動を、プーリー、クラッチ、およびクラッチと同心で連動するスプールの回転運動に変換することによって、シートベルトに予張力を加える、前記プリテンショナ。
【請求項７】  シートベルトリトラクタのウェビングリールから軸方向に延びるウェビングリールシャフトと協働し、起動時にリールに巻回されたシートベルト用ウェビングに予張力を加える、プリテンショナであって、
長手方向に延びる長方形の第１通路をその内部に収容するハウジングであって、前記通路が第１の端部と第２の端部を有し、前記ハウジングがウェビングリールシャフトの第１端部をさらに収容する、前記ハウジングと、
前記シャフトの第１端部から半径方向外側に間隔をあけて配置された、プリテンショナ起動時に、シャフトを把持するための、ギア付きクラッチと、
前記クラッチスリーブとギア係合するギア付きプーリーであって、プリテンショナ起動時に、前記クラッチスリーブに回転トルクを加える、前記ギア付きプーリーと、
前記ハウジングに固定された第１の端部と、前記第１端部から前記第１通路を横断して延びる中間部分と、前記中間部分から延びて、前記プーリーに固定かつ巻回されている第２端部とを有するストラップであって、プリテンショナの起動時に、回転トルクを前記プーリーに加える、前記ストラップと、
前記通路の第１端部内に配置されており、プリテンショナ起動時に、前記ストラップに張力を加えることによってプーリーにトルクを加えるための、アクチュエータと、
点火可能であって、プリテンショナを起動し、アクチュエータを前記第２通路中に放出するのに十分な力を発生する、ガス発生混合物と、
前記ハウジング内に収容され、前記ガス発生混合物と点火可能に接続する、前記ガス発生混合物を点火させるための、イニシエータとを備え、
前記ガス発生剤の点火時、およびアクチュエータの直線移動時に、ストラップに張力が加わり、この結果、プーリー、クラッチ、ウェビングリールシャフト、ウェビングリールが回転前進することによって、リールが巻かれ、リール上のシートベルトウェビングに予張力を加える、前記プリテンショナ。
【請求項８】  シートベルトリトラクタのウェビングリールから軸方向に延びるウェビングリールシャフトと協働し、起動時にリールに巻回されたシートベルト用ウェビングに予張力を加える、プリテンショナであって、
長手方向に延びる長方形の第１通路をその内部に収容するハウジングであって、前記通路が第１の端部と第２の端部を有し、前記ハウジングがウェビングリールシャフトの第１端部をさらに収容する、前記ハウジングと、
前記シャフトの第１端部から半径方向外側に間隔をあけて配置された、プリテンショナ起動時に、シャフトを把持するための、ギア付きクラッチ手段と、
前記クラッチスリーブとギア係合するギア付きプーリーであって、プリテンショナ起動時に、前記クラッチスリーブに回転トルクを加える、前記ギア付きプーリーと、
前記ハウジングに固定された第１の端部と、前記第１端部から前記第１通路を横断して延びる中間部分と、前記中間部分から延びて、前記プーリーに固定かつ巻回されている第２端部とを有するストラップであって、プリテンショナの起動時に、回転トルクを前記プーリーに加える、前記ストラップと、
前記通路の第１端部内に配置されており、プリテンショナ起動時に、前記ストラップに張力を加えることによってプーリーにトルクを加えるための、アクチュエータと、
プリテンショナを起動させ、アクチュエータを通路に放出することによって、ストラップに張力を加える手段とを備え、
プリテンショナの起動時に、ストラップがアクチュエータの直線運動を、プーリー、クラッチ手段、およびクラッチ手段と同心で連動するスプールの回転運動に変換することによって、シートベルトに予張力を加える、前記プリテンショナ。
【請求項９】  請求項１〜８のいずれかに記載のプリテンショナを備えた安全ベルトシステム。